(57)【要約】【課題】コストを低減し且つ照明器具の構造や放熱構造に応じて電源回路を設計する必要のない点灯装置及び照明器具を提供する。【解決手段】ＬＥＤ３０を有する光源３Ａ，３Ｂに直流電圧を供給する直流電源１と、複数の冷却器を制御する冷却制御回路２とを備え、冷却制御回路２は、直流電源１の出力電圧を受けて一定電圧を出力する電源回路２２と、電源回路２２の出力電圧を受けて各冷却器の駆動電圧をそれぞれ出力する出力回路２３，２４と、光源３Ａ，３Ｂの温度を検知する温度検知回路２０，２１と、各温度検知回路２０，２１で検知した温度に基づく駆動電圧を出力するように各出力回路２３，２４を制御する出力制御回路２５とを備える。【選択図】図１
2014154472.tif 000002
【特許請求の範囲】
【請求項１】
固体発光素子を有する光源に電力を供給する電源と、前記光源を冷却する複数の冷却器を制御する冷却制御回路とを備え、
前記冷却制御回路は、前記電源の出力電圧を受けて一定電圧を出力する電源回路と、前記電源回路の出力電圧を受けて前記各冷却器を駆動するための駆動電圧をそれぞれ出力する複数の出力回路と、前記光源の温度を検知する複数の温度検知回路と、前記各温度検知回路で検知した温度に基づく駆動電圧を出力するように前記各出力回路を制御する出力制御回路とを備えることを特徴とする点灯装置。
【請求項２】
前記出力制御回路は、前記各温度検知回路で検知した温度の一定期間における平均値に基づいて前記各出力回路を制御することを特徴とする請求項１記載の点灯装置。
【請求項３】
前記出力制御回路は、何れかの前記温度検知回路で検知した温度が第１温度を超えるまでは、互いに同じ駆動電圧を出力するように前記各出力回路を制御し、何れかの前記温度検知回路で検知した温度が第１温度を超えると、互いに異なる駆動電圧を出力するように前記各出力回路を制御することを特徴とすることを特徴とする請求項１又は２記載の点灯装置。
【請求項４】
前記出力制御回路は、前記電源回路の出力電圧が前記各出力回路に交互に供給されるように前記各出力回路を制御することを特徴とする請求項１乃至３の何れか１項に記載の点灯装置。
【請求項５】
前記電源の出力を可変して前記各光源を調光する調光回路を備え、
前記調光回路は、何れかの前記温度検知回路で検知した温度が第１温度よりも大きい第２温度を超えると、前記電源の出力を低下させることを特徴とする請求項１乃至４の何れか１項に記載の点灯装置。
【請求項６】
前記各温度検知回路は、温度変化に伴い特性値が変化する感温素子を備えることを特徴とする請求項１乃至５の何れか１項に記載の点灯装置。
【請求項７】
前記感温素子は、ＮＴＣサーミスタ又はＰＴＣサーミスタ又はＣＴＲサーミスタであることを特徴とする請求項６記載の点灯装置。
【請求項８】
請求項１乃至７の何れか１項に記載の点灯装置と、前記各光源及び前記各冷却器を保持する器具本体とを備えることを特徴とする照明器具。
【発明の詳細な説明】
【技術分野】
【０００１】
本発明は、点灯装置及びそれを用いた照明器具に関する。
【背景技術】
【０００２】
従来から、光源としてのＬＥＤを冷却する冷却手段の駆動回路を備えたＬＥＤ点灯装置が知られており、例えば特許文献１に開示されている。この特許文献１に記載のＬＥＤ点灯装置は、直流電源と、直流電源の出力端子間に接続され、複数のＬＥＤが接続された直列回路と、ＬＥＤが発生する熱を冷却する冷却手段駆動部とを具備する。そして、冷却手段駆動部は、上記直列回路から分岐されて少なくとも１つ以上のＬＥＤ間に接続されている。これにより、上記直列回路から分岐したＬＥＤの両端に発生する直流電圧を冷却手段駆動部に供給している。
【先行技術文献】
【特許文献】
【０００３】
【特許文献１】特開２０１１−１５０９３６号公報
【発明の概要】
【発明が解決しようとする課題】
【０００４】
しかしながら、今後の更なるＬＥＤの高出力化に伴って、供給する順方向電流が増加すると共に、冷却手段用電源を確保するためのＬＥＤに供給する順方向電流も増大する。このため、上記従来例では、冷却手段用電源を確保するためのＬＥＤとして、順方向電流の増加に対応したＬＥＤを用意せねばならず、コストが増大するという問題があった。
【０００５】
また、高出力のＬＥＤを複数使用する場合には、ＬＥＤの熱を放熱する放熱部材（例えば、ヒートシンク）等の金属部材が必要となり、また、放熱部材を冷却する冷却器が必要となることがある。更には、ＬＥＤから成る光源を複数使用する場合には、光源毎に冷却器が必要になる場合もある。このように、使用する照明器具の構造や放熱構造が異なるために、照明器具毎に最適な冷却器用の電源回路をその都度設計しなければならないという問題があった。
【０００６】
本発明は、上記の点に鑑みて為されたもので、コストを低減し且つ照明器具の構造や放熱構造に応じて電源回路を設計する必要のない点灯装置及び照明器具を提供することを目的とする。
【課題を解決するための手段】
【０００７】
本発明の点灯装置は、固体発光素子を有する光源に電力を供給する電源と、前記光源を冷却する複数の冷却器を制御する冷却制御回路とを備え、前記冷却制御回路は、前記電源の出力電圧を受けて一定電圧を出力する電源回路と、前記電源回路の出力電圧を受けて前記各冷却器を駆動するための駆動電圧をそれぞれ出力する複数の出力回路と、前記光源の温度を検知する複数の温度検知回路と、前記各温度検知回路で検知した温度に基づく駆動電圧を出力するように前記各出力回路を制御する出力制御回路とを備えることを特徴とする。
【０００８】
この点灯装置において、前記出力制御回路は、前記各温度検知回路で検知した温度の一定期間における平均値に基づいて前記各出力回路を制御することが好ましい。
【０００９】
この点灯装置において、前記出力制御回路は、何れかの前記温度検知回路で検知した温度が第１温度を超えるまでは、互いに同じ駆動電圧を出力するように前記各出力回路を制御し、何れかの前記温度検知回路で検知した温度が第１温度を超えると、互いに異なる駆動電圧を出力するように前記各出力回路を制御することが好ましい。
【００１０】
この点灯装置において、前記出力制御回路は、前記電源回路の出力電圧が前記各出力回路に交互に供給されるように前記各出力回路を制御することが好ましい。
【００１１】
この点灯装置において、前記電源の出力を可変して前記各光源を調光する調光回路を備え、前記調光回路は、何れかの前記温度検知回路で検知した温度が第１温度よりも大きい第２温度を超えると、前記電源の出力を低下させることが好ましい。
【００１２】
この点灯装置において、前記各温度検知回路は、温度変化に伴い特性値が変化する感温素子を備えることが好ましい。
【００１３】
この点灯装置において、前記感温素子は、ＮＴＣサーミスタ又はＰＴＣサーミスタ又はＣＴＲサーミスタであることが好ましい。
【００１４】
本発明の照明器具は、上記何れかの点灯装置と、前記各光源及び前記各冷却器を保持する器具本体とを備えることを特徴とする。
【発明の効果】
【００１５】
本発明は、各出力回路が、単一の電源回路からの出力電圧を受けて、各温度検知回路で検知した温度に基づく駆動電圧をそれぞれ出力する。このため、本発明では、照明器具の構造や放熱構造に応じて電源回路を設計する必要がない。また、本発明では、従来例のように冷却手段用電源を確保するためのＬＥＤを必要としないことから、順方向電流の増加に対応したＬＥＤを用意する必要がなく、コストを低減することができる。
【図面の簡単な説明】
【００１６】
【図１】本発明に係る点灯装置の実施形態を示す回路概略図である。
【図２】同上の点灯装置における具体的な回路図である。
【図３】同上の点灯装置における各出力回路の動作の説明図で、（ａ）は第１出力回路の動作波形図で、（ｂ）は第２出力回路の動作波形図である。
【図４】（ａ）〜（ｃ）は、光源を並列に接続した場合における他の実装例を示す図である。
【図５】（ａ）〜（ｄ）は、光源を直列に接続した場合における実装例を示す図である。
【図６】（ａ）は出力制御回路のデータテーブルの一例を示す図で、（ｂ）は出力制御回路のデータテーブルの他の一例を示す図で、（ｃ）は（ｂ）のデータテーブルを用いた場合の各出力回路の動作波形図である。
【図７】（ａ）〜（ｃ）は、本発明に係る照明器具の実施形態を示す概略図である。
【発明を実施するための形態】
【００１７】
以下、本発明に係る点灯装置の実施形態について図面を用いて説明する。本実施形態は、図１，２に示すように、直流電源１と、冷却制御回路２とを備える。直流電源１は、商用交流電源ＡＣ１からの交流電力を直流電力に変換して出力するように構成され、整流器１０と、電圧変換回路１１と、電流検出回路１２とを備える。なお、直流電源１は、バッテリで構成してもよい。
【００１８】
整流器１０は、例えばダイオードブリッジ回路から成り、商用交流電源ＡＣ１からの交流電流を全波整流して脈流電圧を出力するように構成される。
【００１９】
電圧変換回路１１は、図２に示すように、昇圧チョッパ回路１１０と、降圧チョッパ回路１１１とから成る。昇圧チョッパ回路１１０は、インダクタＬ１と、スイッチング素子Ｑ１と、ダイオードＤ１と、平滑用コンデンサＣ１と、抵抗Ｒ１とから成り、力率を改善する目的で用いる。抵抗Ｒ１は、スイッチング素子Ｑ１に直列に接続され、スイッチング素子Ｑ１を流れる電流を検出するために用いる。昇圧チョッパ回路１１０は、この抵抗Ｒ１で検出した電流に基づいてスイッチング素子Ｑ１のオン／オフを制御することにより、出力電圧を一定電圧に制御する。なお、昇圧チョッパ回路１１０の代わりに、平滑用コンデンサＣ１のみを用いてもよい。
【００２０】
降圧チョッパ回路１１１は、インダクタＬ２と、スイッチング素子Ｑ２と、ダイオードＤ２と、平滑用コンデンサＣ２とから成り、昇圧チョッパ回路１１０の出力電圧を降圧して出力するように構成される。電流検出回路１２は、抵抗Ｒ２から成り、後述する各光源３Ａ，３Ｂを流れる負荷電流を検知するように構成される。降圧チョッパ回路１１１は、電流検出回路１２で検知した負荷電流に基づいてスイッチング素子Ｑ２のオン／オフを制御することにより、出力電流若しくは出力電力が一定となるように制御する。なお、降圧チョッパ回路１１１の代わりに、例えばフライバックコンバータのような絶縁型のＤＣ／ＤＣコンバータを用いてもよい。
【００２１】
直流電源１は、その出力電圧を第１光源３Ａ及び第２光源３Ｂに供給する。すなわち、直流電源１は、通電により点灯する光源に電力を供給する電源である。各光源３Ａ，３Ｂは、図２に示すように、何れも固体発光素子である複数のＬＥＤ３０を直列又は並列、若しくは直並列に接続して成る。各光源３Ａ，３Ｂは、直流電源１の出力端に並列に接続している。各光源３Ａ，３Ｂは、直流電源１の出力電圧を印加して各ＬＥＤ３０に電流を流すことにより点灯する。各光源３Ａ，３Ｂを調光する場合には、直流電源１の出力電流を変化させて各ＬＥＤ３０を流れる電流を変化させればよい。
【００２２】
なお、直流電源１と各光源３Ａ，３Ｂとの間に調光回路を設け、調光回路を用いて直流電源１の出力電圧をＰＷＭ制御することにより、直流電源１の出力電圧を各光源３Ａ，３Ｂに間欠的に供給する構成でもよい。調光回路は、直流電源１の出力を可変して各光源３Ａ，３Ｂを調光できるものであればよく、このような調光回路は従来周知であるので、ここでは説明を省略する。
【００２３】
各光源３Ａ，３Ｂは、金属材料をベースにした放熱性能の高い第１基板４Ａ及び第２基板４Ｂにそれぞれ実装している。なお、各基板４Ａ，４Ｂは、金属材料をベースとしたものに限定されず、放熱性能が良好で耐久性に優れたセラミックス材料や合成樹脂材料をベースとしたものでもよい。
【００２４】
本実施形態では、各光源３Ａ，３ＢのＬＥＤ３０のベアチップを、各基板４Ａ，４Ｂに直接実装するチップオンボード方式により実装している。なお、本実施形態では、シリコーン樹脂系の接着剤を用いてＬＥＤ３０のベアチップを各基板４Ａ，４Ｂに接着することで実装している。ＬＥＤ３０のベアチップは、例えば透光性を有するサファイア基板に発光層を積層して形成する。発光層は、ｎ型窒化物半導体層とＩｎＧａＮ層とｐ型窒化物半導体層とを積層して成る。ｐ型窒化物半導体層には、ｐ型電極パッドから成るプラス電極を形成している。また、ｎ型窒化物半導体層には、ｎ型電極パッドから成るマイナス電極を形成している。各電極は、金等の金属材料から成るボンディングワイヤにより各基板４Ａ，４Ｂ上の電極に電気的に接続される。本実施形態では、ＬＥＤ３０は、ＩｎＧａｎＮ系の青色ＬＥＤと黄色蛍光体とを組み合わせることで、白色光を発する。
【００２５】
ここで、ＬＥＤ３０を各基板４Ａ，４Ｂに実装する方法はチップオンボード方式に限定されるものではない。例えば、ＬＥＤ３０のベアチップをパッケージに封入し、パッケージを各基板４Ａ，４Ｂに表面実装してもよい。
【００２６】
冷却制御回路２は、図２に示すように、第１温度検知回路２０及び第２温度検知回路２１と、電源回路２２と、第１出力回路２３及び第２出力回路２４と、出力制御回路２５とを備える。
【００２７】
各温度検知回路２０，２１は、各光源３Ａ，３Ｂの温度をそれぞれ検知するものであり、各光源３Ａ，３Ｂの近傍に配置する。第１温度検知回路２０は、感温素子ＲＸ１及び抵抗Ｒ３の直列回路から成る。第１温度検知回路２０は、後述する電源回路２２から供給される電源電圧を分圧し、分圧した電圧を第１検知電圧として後述する出力制御回路２５に出力する。第２温度検知回路２１は、感温素子ＲＸ２及び抵抗Ｒ４の直列回路から成る。第２温度検知回路２１は、後述する電源回路２２から供給される電源電圧を分圧し、分圧した第２検知電圧として後述する出力制御回路２５に出力する。
【００２８】
本実施形態では、各感温素子ＲＸ１，ＲＸ２として、温度上昇に伴って抵抗値が減少するＮＴＣサーミスタを用いている。したがって、各検知電圧は、各光源３Ａ，３Ｂの温度の変化に伴って増減する。なお、感温素子ＲＸ１，ＲＸ２としては、温度上昇に伴って抵抗値が増大するＰＴＣサーミスタや、一定温度を超えると急激に抵抗値が減少するＣＴＲサーミスタ等を用いてもよい。
【００２９】
電源回路２２は、直流電源１の出力電圧を受けて各温度検知回路２０，２１、各出力回路２３，２４、出力制御回路２５のそれぞれに供給する電源電圧を生成する。電源回路２２は、図２に示すように、半導体素子ＩＣ１と、ダイオードＤ３と、インダクタＬ３と、コンデンサＣ３，Ｃ４と、フォトダイオードＰＤ１と、フォトトランジスタＰＴ１と、ツェナーダイオードＺＤ１とを備える。また、電源回路２２は、３端子レギュレータから成る半導体素子ＩＣ２と、コンデンサＣ５とを更に備える。
【００３０】
半導体素子ＩＣ１は、例えばPOWER INTEGRATIONS社製のLNK302から成り、図示しないスイッチング素子とその制御回路などから構成される。また、フォトダイオードＰＤ１及びフォトトランジスタＰＴ１は、フォトカプラを構成している。
【００３１】
以下、電源回路２２の動作について説明する。半導体素子ＩＣ１内のスイッチング素子がオンの状態では、半導体素子ＩＣ１、インダクタＬ３に電流が流れ、コンデンサＣ４が充電される。コンデンサＣ４の両端電圧がツェナーダイオードＺＤ１のツェナー電圧を上回ると、ツェナーダイオードＺＤ１、フォトダイオードＰＤ１に電流が流れ、フォトトランジスタＰＴ１がオンに切り替わる。これにより、半導体素子ＩＣ１内のスイッチング素子がオフに切り替わり、半導体素子ＩＣ１、インダクタＬ３への電流の供給が停止する。その後、コンデンサＣ４が放電し、コンデンサＣ４の両端電圧がツェナーダイオードＺＤ１のツェナー電圧を下回ると、フォトダイオードＰＤ１に電流が流れなくなる。これにより、フォトトランジスタＰＴ１がオフに切り替わり、半導体素子ＩＣ１内のスイッチング素子がオンに切り替わる。
【００３２】
上記の動作を繰り返すことにより、コンデンサＣ４の両端電圧が一定の直流電圧に保たれる。このコンデンサＣ４の両端電圧を、各出力回路２３，２４に電源電圧として供給する。また、コンデンサＣ４の両端電圧は、半導体素子ＩＣ２及びコンデンサＣ５により、電圧値の異なる一定の直流電圧に変換される。そして、コンデンサＣ５の両端電圧を、電源電圧として各温度検知回路２０，２１、出力制御回路２５に供給する。
【００３３】
なお、本実施形態ではスイッチング素子とその制御回路が一体となった半導体素子ＩＣ１を用いて電源回路２２を構成しているが、他の構成であってもよい。例えば、電源回路２２は、昇圧チョッパ回路１１０のインダクタＬ１に補助巻線を設け、補助巻線に誘起される電圧を用いて電源電圧を生成する構成でもよい。また、電源回路２２は、半導体素子ＩＣ１を用いる代わりに、スイッチング素子とその制御回路とを個別に設ける構成でもよい。
【００３４】
第１出力回路２３は、電源回路２２の出力電圧を受けて、第１光源３Ａを冷却する冷却器である第１ファン（図示せず）の第１ファンモータ５Ａに駆動電圧を供給する。第１ファンの風量は、第１出力回路２３の出力する駆動電圧の大小に基づいて増減する。第２出力回路２４は、電源回路２２の出力電圧を受けて、第２光源３Ｂを冷却する冷却器である第２ファン（図示せず）の第２ファンモータ５Ｂに駆動電圧を供給する。第２ファンの風量は、第２出力回路２４の出力する駆動電圧の大小に基づいて増減する。
【００３５】
第１出力回路２３は、図２に示すように、抵抗Ｒ５，Ｒ６と、ダイオードＤ４と、スイッチング素子Ｑ３，Ｑ４と、フォトダイオードＰＤ２と、フォトトランジスタＰＴ２と、ツェナーダイオードＺＤ２と、コンデンサＣ６とから成る。スイッチング素子Ｑ３はｎ型ＭＯＳＦＥＴであり、スイッチング素子Ｑ４はｎｐｎ型トランジスタである。また、フォトダイオードＰＤ２及びフォトトランジスタＰＴ２は、フォトカプラを構成している。
【００３６】
第２出力回路２４は、抵抗Ｒ７，Ｒ８と、ダイオードＤ５と、スイッチング素子Ｑ５，Ｑ６と、フォトダイオードＰＤ３と、フォトトランジスタＰＴ３と、ツェナーダイオードＺＤ３と、コンデンサＣ７とから成る。スイッチング素子Ｑ５はｎ型ＭＯＳＦＥＴであり、スイッチング素子Ｑ６はｎｐｎ型トランジスタである。また、フォトダイオードＰＤ３及びフォトトランジスタＰＴ３は、フォトカプラを構成している。
【００３７】
出力制御回路２５は、例えば８ビットマイコンから成り、各温度検知回路２０，２１で検知した温度に基づく駆動電圧を出力するように各出力回路２３，２４を制御する。出力制御回路２５は、Ａ／Ｄポート２５Ａ，２５Ｂと、ＣＰＵ２５Ｃと、メモリ２５Ｄとを備える。各Ａ／Ｄポート２５Ａ，２５Ｂは、各温度検知回路２０，２１から入力される各検知電圧をディジタル値に変換し、ＣＰＵ２５Ｃに出力する。
【００３８】
ＣＰＵ２５Ｃは、Ａ／Ｄポート２５Ａから入力されるディジタル値の一定期間における平均値を演算し、この平均値を第１検知電圧のディジタル値として用いる。同様に、ＣＰＵ２５Ｃでは、Ａ／Ｄポート２５Ｂから入力されるディジタル値の一定期間における平均値を演算し、この平均値を第２検知電圧のディジタル値として用いる。
【００３９】
メモリ２５Ｄには、図２のデータテーブルに示す各検知電圧のディジタル値と、これらに対応する各制御データとを格納したデータテーブルを記憶している。なお、各検知電圧のディジタル値は、各検知電圧に対応する値を示すものであり、必ずしも実際の各検知電圧の値を示すものではない。例えば、データテーブルの第１検知電圧の「５」というデータは、「５Ｖ」を示すわけではない。
【００４０】
ＣＰＵ２５Ｃは、各検知電圧のディジタル値に対応する第１制御データ（「Ａ０」，「Ａ１」，…，「Ａ２５５」）及び第２制御データ（「Ｂ０」，「Ｂ１」，…，「Ｂ２５５」）をメモリ２５Ｄから読み出す。そして、ＣＰＵ２５Ｃは、各制御データに基づくＰＷＭ信号を各出力回路２３，２４のスイッチング素子Ｑ４，Ｑ６にそれぞれ出力する。すなわち、出力制御回路２５は、第１温度検知回路２０で検知した温度に基づく第１ＰＷＭ信号を第１出力回路２３に出力し、第２温度検知回路２１で検知した温度に基づく第２ＰＷＭ信号を第２出力回路２４に出力する。
【００４１】
上述のように、出力制御回路２５は、各温度検知回路２０，２１で検知した温度の一定期間における平均値に基づいて各出力回路２３，２４を制御する。これにより、検知した温度（検知電圧）に含まれるノイズを低減することができ、誤動作を防止することができる。なお、更にノイズを低減したい場合には、各ディジタル値の一定期間における全データのうち、最大値と最小値を除いたデータの平均値を各検知電圧のディジタル値として用いるのが望ましい。
【００４２】
以下、各出力回路２３，２４の動作について説明する。先ず、第１出力回路２３の動作について図３（ａ）を用いて説明する。第１出力回路２３において、スイッチング素子Ｑ３のゲート端子には、電源回路２２から供給される電源電圧を抵抗Ｒ５，Ｒ６で分圧した電圧が入力される。このため、スイッチング素子Ｑ３は、通常ではオンの状態にある。ここで、スイッチング素子Ｑ４のベース端子には、第１ＰＷＭ信号が入力される。したがって、スイッチング素子Ｑ４は、当該信号のオンデューティに基づいてオン／オフを切り替える。
【００４３】
スイッチング素子Ｑ４がオフの場合、ダイオードＤ４、スイッチング素子Ｑ３に電流が流れ、コンデンサＣ６が充電される。スイッチング素子Ｑ４がオンに切り替わり、コンデンサＣ６の両端電圧ＶＣ６がツェナーダイオードＺＤ２のツェナー電圧を上回ると、フォトダイオードＰＤ２に電流が流れ、フォトトランジスタＰＴ２がオンに切り替わる。すると、スイッチング素子Ｑ３がオフに切り替わるため、コンデンサＣ６への電流の供給が停止し、コンデンサＣ６が放電する。再びスイッチング素子Ｑ４がオフに切り替わると、フォトダイオードＰＤ２に電流が流れなくなることにより、フォトトランジスタＰＴ２がオフに切り替わる。すると、スイッチング素子Ｑ３がオンに切り替わるため、ダイオードＤ４、スイッチング素子Ｑ３に電流が流れ、コンデンサＣ６が再び充電される。
【００４４】
上記の動作を繰り返すことにより、コンデンサＣ６の両端電圧ＶＣ６（すなわち、第１ファンモータ５Ａの駆動電圧）が一定の直流電圧Ｖ１に保たれる。この直流電圧Ｖ１は、第１ＰＷＭ信号のオンデューティが大きくなると小さくなり、オンデューティが小さくなると大きくなる。図３（ａ）に示す例では、第１ＰＷＭ信号のオンデューティを３０％としている。
【００４５】
第１ＰＷＭ信号は、第１制御データの値によってそのオンデューティが変化する。第１ＰＷＭ信号のオンデューティは、第１制御データが「Ａ０」の場合に最も大きく、「Ａ２５５」の場合に最も小さい。したがって、第１温度検知回路２０で検知した温度が増大すれば、第１ＰＷＭ信号のオンデューティが小さくなり、第１出力回路２３は駆動電圧を増大して出力する。また、第１温度検知回路２０で検知した温度が減少すれば、第１ＰＷＭ信号のオンデューティが大きくなり、第１出力回路２３は駆動電圧を減少して出力する。
【００４６】
次に、第２出力回路２４の動作について図３（ｂ）を用いて説明する。第２出力回路２４において、スイッチング素子Ｑ５のゲート端子には、電源回路２２から供給される電源電圧を抵抗Ｒ７，Ｒ８で分圧した電圧が入力される。このため、スイッチング素子Ｑ５は、通常ではオンの状態にある。ここで、スイッチング素子Ｑ６のベース端子には、第２ＰＷＭ信号が入力される。したがって、スイッチング素子Ｑ６は、当該信号のオンデューティに基づいてオン／オフを切り替える。
【００４７】
スイッチング素子Ｑ６がオフの場合、ダイオードＤ５、スイッチング素子Ｑ５に電流が流れ、コンデンサＣ７が充電される。スイッチング素子Ｑ４がオンに切り替わり、コンデンサＣ７の両端電圧ＶＣ７がツェナーダイオードＺＤ３のツェナー電圧を上回ると、フォトダイオードＰＤ３に電流が流れ、フォトトランジスタＰＴ３がオンに切り替わる。すると、スイッチング素子Ｑ５がオフに切り替わるため、コンデンサＣ７への電流の供給が停止し、コンデンサＣ７が放電する。再びスイッチング素子Ｑ６がオフに切り替わると、フォトダイオードＰＤ３に電流が流れなくなることにより、フォトトランジスタＰＴ３がオフに切り替わる。すると、スイッチング素子Ｑ５がオンに切り替わるため、ダイオードＤ４、スイッチング素子Ｑ５に電流が流れ、コンデンサＣ７が再び充電される。
【００４８】
上記の動作を繰り返すことにより、コンデンサＣ７の両端電圧ＶＣ７（すなわち、第２ファンモータ５Ｂの駆動電圧）が一定の直流電圧Ｖ２に保たれる。この直流電圧Ｖ２は、第２ＰＷＭ信号のオンデューティが大きくなると小さくなり、オンデューティが小さくなると大きくなる。図３（ｂ）に示す例では、第２ＰＷＭ信号のオンデューティを７０％としている。
【００４９】
第２ＰＷＭ信号は、第２制御データの値によってそのオンデューティが変化する。第２ＰＷＭ信号のオンデューティは、第２制御データが「Ｂ０」の場合に最も大きく、「Ｂ２５５」の場合に最も小さい。したがって、第２温度検知回路２１で検知した温度が増大すれば、第２ＰＷＭ信号のオンデューティが小さくなり、第２出力回路２４は駆動電圧を増大して出力する。また、第２温度検知回路２１で検知した温度が減少すれば、第２ＰＷＭ信号のオンデューティが大きくなり、第２出力回路２４は駆動電圧を減少して出力する。なお、各スイッチング素子Ｑ４，Ｑ６のオン／オフの周期は、必ずしも同期している必要はない。
【００５０】
上述のように、本実施形態では、各出力回路２３，２４は、単一の電源回路２２からの出力電圧を受けて、各温度検知回路２０，２１で検知した温度に基づく駆動電圧をそれぞれ出力する。このため、本実施形態では、照明器具毎に電源回路を設計する必要がない。例えば各光源３Ａ，３Ｂの冷却条件が異なる場合でも、各出力回路２３，２４の出力を変更するだけで最適な冷却条件を設定できるため、電源回路２２の設計を変更する必要がない。
【００５１】
また、本実施形態では、従来例のように冷却手段用電源を確保するためのＬＥＤを必要としないことから、順方向電流の増加に対応したＬＥＤを用意する必要がなく、コストを低減することができる。更に、本実施形態では、照明器具の構造や放熱構造に応じて電源回路２２の設計を変更する必要がないことから、装置の設計に要する時間を短縮したり部品を共通化したりすることでコストを低減することができる。すなわち、本実施形態では、コストを低減することができ、且つ照明器具の構造や放熱構造に応じて電源回路を設計する必要がない。
【００５２】
また、本実施形態では、各温度検知回路２０，２１で検知した温度に基づいて各冷却器の出力を変更することから、各光源３Ａ，３Ｂの温度を最適化することができる。したがって、本実施形態では、高温に起因するＬＥＤ３０の光出力の低下や寿命の劣化を抑制することができる。
【００５３】
なお、本実施形態では、各光源３Ａ，３Ｂに用いる固体発光素子としてＬＥＤ３０を用いているが、例えば半導体レーザや有機ＥＬ素子などの他の固体発光素子を用いて各光源３Ａ，３Ｂを構成してもよい。また、本実施形態は、２つの光源３Ａ，３Ｂを対象としているが、対象となる光源の数は２つに限定されるものではなく、１つであってもよいし更に数が多くてもよい。
【００５４】
また、冷却器はファンに限定されるものではなく、例えばペルティエ素子等の熱電素子を用いてもよい。例えば冷却器としてペルティエ素子を用いる場合、各出力回路２３，２４を、それぞれペルティエ素子の駆動回路に電流を供給する構成とすればよい。また、本実施形態では２つの出力回路２３，２４を用いているが、３つ以上の出力回路を用いて各光源３Ａ，３Ｂを冷却する構成であってもよい。
【００５５】
ここで、図４（ａ）に示すように、第１光源３Ａを実装する第１基板４Ａに第１温度検知回路２０を実装し、第２光源３Ｂを実装する第２基板４Ｂに第２温度検知回路２１を実装してもよい。この構成では、各基板４Ａ，４Ｂのスペースを有効に活用することで、装置の小型化を図ることができる。また、各温度検知回路２０，２１がそれぞれ各光源３Ａ，３Ｂのより近傍に配置されることから、各光源３Ａ，３Ｂの温度を精度良く検知することができる。したがって、この構成では、図１，２に示す構成と比較して、各光源３Ａ，３Ｂの温度をより最適化し易く、高温に起因するＬＥＤ３０の光出力の低下や寿命の劣化をより抑制することができる。なお、各温度検知回路２０，２１の構成部品の全てを各基板４Ａ，４Ｂに実装せずに、各感温素子ＲＸ１，ＲＸ２のみを各基板４Ａ，４Ｂに実装してもよい。
【００５６】
また、図４（ｂ）に示すように、各光源３Ａ，３Ｂを同一の基板４に実装してもよい。この構成では、各光源３Ａ，３Ｂのばらつきや冷却器のばらつき等により各光源３Ａ，３Ｂの温度に不均衡が生じたとしても、同一の基板４に実装することで不均衡をある程度解消することができる。したがって、この構成では、図１，２に示す構成と比較して、各光源３Ａ，３Ｂの温度をより最適化し易く、高温に起因するＬＥＤ３０の光出力の低下や寿命の劣化をより抑制することができる。
【００５７】
また、図４（ｃ）に示すように、各光源３Ａ，３Ｂ及び各温度検知回路２０，２１を同一の基板４に実装してもよい。この構成では、図４（ａ）に示す構成による効果、及び図４（ｂ）に示す構成による効果の両方を奏することができる。なお、各温度検知回路２０，２１の構成部品の全てを基板４に実装せずに、各感温素子ＲＸ１，ＲＸ２のみを基板４に実装してもよい。
【００５８】
また、図５（ａ）に示すように、各光源３Ａ，３Ｂを直列に接続してもよい。この構成では、各光源３Ａ，３Ｂを並列に接続する場合と比較して配線を簡素化することができる。また、この構成では、何れかの光源３Ａ，３Ｂの温度が急激に上昇した場合に、各光源３Ａ，３Ｂの光出力を低下させるように調光すれば、光出力の変化により何れかの光源３Ａ，３Ｂに異常が発生したことを利用者に視認させることができる。
【００５９】
更に、図５（ｂ）に示すように、第１光源３Ａを実装する第１基板４Ａに第１温度検知回路２０を実装し、第２光源３Ｂを実装する第２基板４Ｂに第２温度検知回路２１を実装してもよい。この構成では、各光源３Ａ，３Ｂを直列に接続することによる効果の他に、図４（ａ）に示す構成による効果を奏することができる。なお、各温度検知回路２０，２１の構成部品の全てを各基板４Ａ，４Ｂに実装せずに、各感温素子ＲＸ１，ＲＸ２のみを各基板４Ａ，４Ｂに実装してもよい。
【００６０】
また、図５（ｃ）に示すように、各光源３Ａ，３Ｂを同一の基板４に実装してもよい。この構成では、各光源３Ａ，３Ｂを直列に接続することによる効果の他に、図４（ｂ）に示す構成による効果を奏することができる。
【００６１】
また、図５（ｄ）に示すように、各光源３Ａ，３Ｂ及び各温度検知回路２０，２１を同一の基板４に実装してもよい。この構成では、各光源３Ａ，３Ｂを直列に接続することによる効果の他に、図４（ａ）に示す構成による効果、及び図４（ｂ）に示す構成による効果の両方を奏することができる。なお、各温度検知回路２０，２１の構成部品の全てを基板４に実装せずに、各感温素子ＲＸ１，ＲＸ２のみを基板４に実装してもよい。
【００６２】
ここで、出力制御回路２５は、図２に示すデータテーブルの代わりに、図６（ａ）に示すデータテーブルを用いて各出力回路２３，２４を制御してもよい。このデータテーブルでは、各検知電圧のディジタル値が第１閾値（第１温度に対応。ここでは、「１００」）を超えるまでは、各制御データはディジタル値の大小に依らず同じ「Ａ０」である。すなわち、出力制御回路２５は、何れかの温度検知回路２０，２１で検知した温度が第１温度を超えるまでは、互いに同じ駆動電圧を出力するように各出力回路２３，２４を制御する。これにより、制御を簡素化することができ、また、データテーブルのデータを共用することでデータ容量を低減してコストを削減することができる。更に、低減したデータ容量に他の機能を実現するためのデータを割り当てることで、高機能化を図ることもできる。
【００６３】
そして、第１制御データは、第１検知電圧のディジタル値が第１閾値を超えると、第１検知電圧のディジタル値の増加に伴って「Ａ１」，…，「Ａ１５５」と対応する値が変化する。また、第２制御データは、第２検知電圧のディジタル値が第１閾値を超えると、第２検知電圧のディジタル値の増加に伴って「Ｂ１」，…，「Ｂ１５５」と対応する値が変化する。すなわち、出力制御回路２５は、何れかの温度検知回路２０，２１で検知した温度が第１温度を超えると、互いに異なる駆動電圧を出力するように各出力回路２３，２４を制御する。
【００６４】
この構成では、高温となった光源３Ａ，３Ｂの温度を低下させることで、高温に起因するＬＥＤ３０の不具合を解消し、且つ光源３Ａ，３Ｂの長寿命化を図ることができる。
【００６５】
更に、直流電源１の出力を可変して各光源３Ａ，３Ｂを調光する調光回路を設け、何れかの温度検知回路２０，２１で検知した温度が第２温度（＞第１温度）を超えると、直流電源１の出力を低下させるように調光回路を構成してもよい。第２温度は、例えばＬＥＤ３０の許容動作温度に設定するのが望ましい。以下では、出力制御回路２５が調光回路として機能する場合について説明する。
【００６６】
何れかの検知電圧のディジタル値が第２閾値（第２温度に対応。ここでは、「２００」）を超えると、出力制御回路２５のＣＰＵ２５Ｃは、調光制御データをメモリ２５Ｄから読み出す。そして、ＣＰＵ２５Ｃは、調光制御データに基づいて直流電源１の出力電圧を低下させるように直流電源１を制御する。例えば、ＣＰＵ２５Ｃは、降圧チョッパ回路１１１のスイッチング素子Ｑ２に調光制御信号を与えることで、降圧チョッパ回路１１１の出力電圧（すなわち、直流電源１の出力電圧）を低下させる。
【００６７】
この構成では、何れかの光源３Ａ，３Ｂの温度が過剰に高くなった場合に、各光源３Ａ，３Ｂの光出力を低下させるように調光できる。したがって、各光源３Ａ，３Ｂの光出力の変化により何れかの光源３Ａ，３Ｂに異常が発生したことを利用者に視認させることができる。
【００６８】
なお、調光制御データは、各検知電圧のディジタル値の増加に伴ってより深い調光を行うように設定してもよいし、一定の調光レベルとなるように設定してもよい。また、何れかの検知電圧のディジタル値が一定時間よりも長く第２閾値を超える場合には、出力制御回路２５が直流電源１の出力電圧を更に低下させる、若しくは直流電源１の動作を停止させるように制御する構成でもよい。
【００６９】
また、出力制御回路２５は、図２に示すデータテーブルの代わりに、図６（ｂ）に示すデータテーブルを用いて各出力回路２３，２４を制御してもよい。このデータテーブルには、第１検知電圧のディジタル値に対応する第１制御データ（「ＴＡ０」，…，「ＴＡ２５５」）と、第２検知電圧のディジタル値に対応する第２制御データ（「ＴＢ０」，…，「ＴＢ２５５」）とを格納している。
【００７０】
ここで、第１制御データは、スイッチング素子Ｑ４のオン時間、オフ時間を規定するものであり、第２制御データは、スイッチング素子Ｑ６のオン時間、オフ時間を規定するものである。そして、各制御データは、図６（ｃ）に示すように、各スイッチング素子Ｑ４，Ｑ６がオフとなるタイミングが重ならないように設定する。例えば、第１制御データの「Ａ０」で規定されるスイッチング素子Ｑ４のオフ時間は、何れの第２制御データで規定されるスイッチング素子Ｑ６のオフ時間とも重ならない。
【００７１】
このため、スイッチング素子Ｑ４がオフであればスイッチング素子Ｑ６はオンであり、電源回路２２の出力電圧は第１出力回路２３にのみ供給される。また、スイッチング素子Ｑ４がオンであればスイッチング素子Ｑ６はオフであり、電源回路２２の出力電圧は第２出力回路２４にのみ供給される。すなわち、出力制御回路２５は、電源回路２２の出力電圧が各出力回路２３，２４に交互に供給されるように各出力回路２３，２４を制御する。
【００７２】
この構成では、各出力回路２３，２４に同時に出力電圧を供給する場合と比較して電源回路２２の性能を極力発揮させることができ、電源回路２２の小型化を図ることができる。
【００７３】
上記実施形態の点灯装置は、例えば図７（ａ）〜（ｃ）に示すような照明器具に採用することができる。図７（ａ）〜（ｃ）に示す照明器具は、上記実施形態の点灯装置６と、光源３Ａ，３Ｂ及び各ファン（冷却器）を保持する器具本体７とを備えている。ここで、点灯装置６のうち感温素子ＲＸ１，ＲＸ２は、光源３Ａ，３Ｂの近傍に配置するのが望ましいため、器具本体７に保持される。なお、図７（ａ）に示す照明器具はダウンライトであり、図７（ｂ），（ｃ）に示す照明器具はスポットライトである。また、図７（ａ），（ｃ）に示す照明器具では、点灯装置６と光源３Ａ，３Ｂとを配線８を介して接続している。
【００７４】
本実施形態では、上記実施形態の点灯装置６を用いることで、上記実施形態と同様の効果を奏することができる。なお、これらの照明器具は単独で用いるのみならず、複数を組み合わせて照明システムを構築してもよい。
【符号の説明】
【００７５】
１  直流電源
２  冷却制御回路
２０  第１温度検知回路
２１  第２温度検知回路
２２  電源回路
２３  第１出力回路
２４  第２出力回路
２５  出力制御回路
３Ａ，３Ｂ  光源
３０  ＬＥＤ
【図１】
2014154472.tif 000003
【図２】
2014154472.tif 000004
【図３】
2014154472.tif 000005
【図４】
2014154472.tif 000006
【図５】
2014154472.tif 000007
【図６】
2014154472.tif 000008
【図７】
2014154472.tif 000009